(57)【要約】【課題】周波数変換が不要で、中継遅延が少なく、ストリームデータの中継に好適なＵＷＢ中継装置を提供する。【解決手段】ＵＷＢ中継装置２は、受信用アンテナ２１と受信部２２と送信部２３と送信用アンテナ２４と中継制御部２５とからなる。中継制御部２５は、スイッチ部２６と遅延部２７と送受信タイミング制御部２８とを備える。受信部２２で復調されたＵＷＢのパルス信号は、遅延部２７で受信タイミングと重ならないタイミングに遅延された後に、送信部２３で電力増幅されて送信される。送受信タイミング制御部２８は、パルス受信タイミング中はスイッチ部２６をオン状態として受信パルスの中継を可能にし、パルスの中継送信中はスイッチ部２６をオフ（開）状態として、送受信間の回り込みを解消する。【選択図】  図４
2004179801.tif 000002
【特許請求の範囲】
【請求項１】
ＵＷＢのパルス信号を受信する受信部と、
ＵＷＢのパルス信号を送信する送信部と、
受信タイミングとはパルス単位で異なる送信タイミングで前記受信部で受信したパルス信号を前記送信部から送信させる中継制御部と
を備えることを特徴とするＵＷＢ中継装置。
【請求項２】
前記中継制御部は、前記受信部で受信したパルス信号を遅延させる遅延部を有することを特徴とする請求項１記載のＵＷＢ中継装置。
【請求項３】
前記中継制御部は、前記送信タイミングでは前記受信部の受信機能を不動作又は受信部の出力が送信部へ供給されないようにすることを特徴とする請求項１記載のＵＷＢ中継装置。
【請求項４】
ＵＷＢのパルス信号を受信する受信部と、
ＵＷＢのパルス信号を送信する送信部と、
前記送信部でのパルス信号の送信タイミングを前記受信部でのパルス信号の受信タイミングとはパルス単位で異なるタイミングに設定する送信タイミング制御部と
を備えることを特徴とするＵＷＢ通信装置。
【発明の詳細な説明】
【０００１】
【発明の属する技術分野】
本発明は、ＵＷＢ（超広帯域無線：Ｕｌｔｒａ  Ｗｉｄｅ  Ｂａｎｄ）のパルス信号を中継するＵＷＢ中継装置、及び、ＵＷＢのパルス信号を用いて双方向通信を行うＵＷＢ通信装置に関する。
【０００２】
【従来の技術】
鋭いパルス波形を空間に放射して無線通信をするＵＷＢが、無線通信のみならずレーダ等の測定にまでマイクロ波帯等において利用されようとしている。この通信方式を周波数でとらえると、中心周波数に対する比帯域（使用帯域幅／中心周波数）が２０％以上あり、一般の広帯域無線通信でも比帯域が数％以内と言われるのと比べて極めて広い帯域を利用する。
【０００３】
図７は、ＵＷＢのパルス波形の一例を示す図である。時間波形からみると、データを伝送するパルスは鋭く、次のパルスまでの時間が空く形になり図７に示すようなパルスの系列になる。一つのパルスの存在や位相で数ビットまでの情報を送ることができる。図７において、ｔ１，ｔ２はパルスが現れる時刻、Ｔ１はパルスの幅である。
【０００４】
マイクロ波帯において比帯域が２０％以上ということは、周波数帯域として数ＧＨｚになる。この帯域の中に従来から利用されている通信やレーダがＵＷＢから干渉を受ける可能性があるが、ＵＷＢの帯域に比べて他の通信は狭帯域であり、ＵＷＢの影響をフィルタで軽減できる。ＵＷＢの影響をフィルタで軽減できるとはいっても、既存の通信を保護するために、ＵＷＢは送信電力を小さく抑えられていて、自由空間でも数１０ｍ程度しか到達距離をカバーできない。
【０００５】
以上のような問題点はあるものの、ＵＷＢは広帯域な信号であることから、データレートが１００Ｍｂｐｓ以上の伝送を狙える。さらに、搬送波を変調する方式ではないために、受信部が簡素化される等の理由でその普及が期待される。
【０００６】
なお、非特許文献１においても、ＵＷＢが高速無線通信の実現技術として期待されていることが記載されている。
【０００７】
【非特許文献１】
「日経エレクトロニクス」２００２年３月１１日号、ｐ．５５−６６
【発明が解決しようとする課題】
ＵＷＢ技術では、極めて広帯域であるが故に、他の通信と周波数を共用しなければならない。ＵＷＢが他の通信に干渉しないように、その送信電力に厳しい制限がつけられる。その結果として、ＵＷＢ信号の到達距離は短い距離に抑えられている。自由空間でも数１０ｍ程度しか、その到達距離をカバーできない。また、途中に壁などがあると更に減衰し、到達範囲が狭くなる。ＵＷＢにおいて、データレートを高速にできるのは大きなメリットであるが、到達距離が制限されるのはデメリットである。
【０００８】
図８は、中継の概念を示す図である。到達距離が短いというデメリットを防ぐ方法に中継がある。これは、一つの送信機で信号が到達できる範囲に受信機を置き、受信した信号を増幅し、再度送信し、目的の受信機に信号を送り到達範囲を拡大する方式である。
【０００９】
図８では、送信地点に設置された送信アンテナ１０１から送信された電波を中継地点の受信アンテナ１０２で受信し、この中継地点に設置された図示しない中継機で受信した信号を増幅して、中継地点の送信アンテナ１０３から送信する例を示している。受信アンテナ１０４は、受信地点に設置される。
【００１０】
無線通信のための中継は従来から用いられており、規模が大きいものは、マイクロ波を利用した電話網の都市間中継である。これは、ある都市から電波を発射し、都市と都市の中間で中継機を設置して目的の都市に中継する方法である。
【００１１】
図９は、周波数変換中継機を示す図である。中継機では、ある周波数で受信した信号を周波数変換して別の周波数にして増幅し送信する方法がとられる。図９は、受信アンテナ１１２で受信した周波数ｆ１の信号を中継機１１１で周波数ｆ２の信号に変換して、送信アンテナ１１３から送信する例を示している。
【００１２】
別の周波数にする理由は、もし同じ周波数ならば、中継機では微弱な受信信号を受信アンテナでとらえて、そのままの周波数で増幅し、送信アンテナで送信すると、近傍の空間に設置される送信受信アンテナ間の結合によって、中継機の発振、もしくは符号間干渉などの支障が生じるからである。周波数が異なれば電波が回り込んでもフィルタで除去できるために、発振や特性劣化がない。このように周波数を変換することで、中継遅延はほとんど生じないので、電話や放送の中継に適している。
【００１３】
一方、同じ周波数で中継する方法としては、パケット通信に用いられる方法と地上デジタルＴＶ放送波の無線中継に用いられているＳＦＮ（Ｓｉｎｇｌｅ  ＦｒｅｑｕｅｎｃｙＮｅｔｗｏｒｋ）中継がある。
【００１４】
図１０は、パケット中継機を示す図である。パケット通信では無線局から送信されるパケットは数ｍ秒を単位時間長として、数１００から数１０００バイトを単位情報量として、その先頭にパケットのあて先や発信元の情報などが収められ、間歇的に発信される。このために、中継機ではパケットを受信している最中は送信せず、パケットを中継機で蓄積した後に、受信側を停止してからパケットを送信する。パケットの間歇性を利用して、時間分割をすることで、同じ周波数を利用する。欠点としては、パケット間のスキマが十分にないと利用できないこと。中継によって数１００バイト以上のパケット長以上の大きな遅延が生じることである。
【００１５】
図１１は、ＳＦＮ中継局を示す図である。ＳＦＮ中継は放送のようなリアルタイムな連続性のあるストリーム系を扱ってなおかつ、中継機の送信受信の周波数を一致させる方法であり、中継遅延も少なくて理想的な方法に見える。しかしながら、送受信間の結合による特性劣化を防ぐために送受アンテナを離して設置し、かつ、結合キャンセラ装置を設ける必要があり、結局、中継局のスペースの増加と複雑化は避けられない。そのため、送受アンテナ間を遠く設置しうるなどの条件のよい中継局に適用可能であるが、条件の悪い場合は異なる周波数に変換して中継する従来のアナログＴＶ放送波中継と同じ方法にするしかない。
【００１６】
ＵＷＢの厳しい送信電力制限のために、電波の到達範囲を広げるために中継を施す必要が生じるが、以上に記した従来からの方法をそのまま適用しようとすると問題が多い。
【００１７】
まず、周波数変換方式であるが、ＵＷＢでは比帯域が極めて広いので、受信した信号の周波数を変換すると受信した周波数とはまったく異なる周波数帯になる。例えば、受信はマイクロ波帯で、送信は準ミリ波帯やミリ波帯である。こうなると、異なる周波数帯のアンテナを中継機に用意しなければならないし、増幅器やフィルタも送信受信で異なるものになり、経済的にも負担となる。空間の伝搬特性も異なり、回線設計上の困難も多くなる。
【００１８】
次に、パケット中継とする方法を適用しようと考える。今後のＵＷＢの需要の多くは無線ホームリンクのような応用であり、リアルタイムなストリーム系データの伝送が多くなるので、パケット間のスキマを十分にとりにくい。また、できたとしてもパケット中継による遅延が大きいという欠点がある。
【００１９】
ＳＦＮ中継については、キャンセラーを用いて、送受信間の距離の縮小ができたとしても、ホームリンクのような状況では中継機をコンパクトに作りたいために、送受信アンテナ間の距離確保は構成の支障になる。また地上デジタルＴＶ放送で用いられるキャンセラーにしても放送波の帯域は６ＭＨｚであり、ＵＷＢのＧＨｚ単位にすると様相が一変する。現在の技術では、キャンセラーのようなクリティカルな信号処理をＵＷＢに求めるのは極めて困難であり、以上の理由でＳＦＮ中継の適用も困難と言える。
【００２０】
本発明はこのような課題を解決するためなされたもので、ＵＷＢに適した中継機を提供することを目的とする。より具体的には、遅延が少なく、間歇的でない継続性のあるデータストリームに適用可能で、周波数の変換を要しない、ＵＷＢに適した中継機を提供することを目的とする。
【００２１】
また、本発明はＵＷＢのパルス信号の送受信タイミングを時分割することで双方向通信を簡易な構成で行えるようにしたＵＷＢ通信装置を提供することを目的とする。
【００２２】
【課題を解決するための手段】
前記課題を解決するため本発明に係るＵＷＢ中継装置は、ＵＷＢのパルス信号を受信する受信部と、ＵＷＢのパルス信号を送信する送信部と、受信タイミングとはパルス単位で異なる送信タイミングで前記受信部で受信したパルス信号を前記送信部から送信させる中継制御部とを備えることを特徴とする。
【００２３】
前記中継制御部は、前記受信部で受信したパルス信号を遅延させる遅延部を有することで、受信タイミングと送信タイミングとを異ならせることができる。
【００２４】
前記中継制御部は、前記送信タイミングでは前記受信部の受信機能を不動作又は受信部の出力が送信部へ供給されないようにすることで、ＵＷＢ中継装置で中継送信したパルス信号の回り込みを解消できる。
【００２５】
本発明に係るＵＷＢ通信装置は、ＵＷＢのパルス信号を受信する受信部と、ＵＷＢのパルス信号を送信する送信部と、前記送信部でのパルス信号の送信タイミングを前記受信部でのパルス信号の受信タイミングとはパルス単位で異なるタイミングに設定する送信タイミング制御部とを備えることを特徴とする。これにより、送受信間の回り込みを解消でき、双方向通信ができるＵＷＢ通信装置を簡易な構成で実現できる。
【００２６】
【発明の実施の形態】
以下、添付図面を参照しながら本発明の好適な実施の形態について詳細に説明する。
【００２７】
図１は、本発明によるＵＷＢ中継装置の基本構成（動作原理）を示す図、図２は、本発明によるＵＷＢ中継装置の動作を示す図であり、図２（ａ）は受信信号波形を示す図、図２（ｂ）は送信信号波形を示す図である。
【００２８】
図１に示すように、ＵＷＢ中継装置１は、受信用アンテナ１１と、スイッチ部１２と、遅延部１３と、増幅部１４と、送信用アンテナ１５とからなる。受信用アンテナ１１で受信されたＵＷＢのパルス信号は、スイッチ部１２を介して遅延部１３に入力され、この遅延部１３で所定時間遅延されて増幅部１４に供給される。遅延されたパルス信号は、増幅部１４で電力増幅されて送信用アンテナ１５に供給され、送信用アンテナ１５から電波として放射される。
【００２９】
スイッチ部１２は、図示しない送信機からのパルス信号を受信している間はオン（閉）状態に制御される。また、スイッチ部１２は、遅延されたパルス信号を送信している間及びパルス信号の送信が終了した時点から所定時間が経過するまでの間は、オフ（開）状態に制御される。
【００３０】
図２に示すようにＵＷＢでは、データを伝送するパルスは短いパルスであり、パルスと次のパルスの間は大きく空いている。そこで、本発明によるＵＷＢ中継装置１は、図示しない送信機からのパルス信号を受信したら、すぐに増幅して中継することはせずに、パルスを次のパルスやそのまた次のパルスなどとタイミングが重ならないようにわずかに遅延させて増幅し、送信用アンテナ１５で空間に放射する。受信している間は送信はせず、パルスを増幅して送信している間は受信しないように、パルス単位で中継する。
【００３１】
図３は、本発明によるＵＷＢ中継装置の送受信間の回り込みを解消する動作を示す図である。ＵＷＢ中継装置１の出力である中継装置出力ＵＷＢパルスは、入力側（受信側）に回り込む。この結果、入力側に回り込みのＵＷＢパルスが生ずる。図３に示した回り込み特性には、各アンテナ１１，１５間での直接回り込みやＵＷＢ中継装置１が設置されている空間の電波伝播経路（マルチパス等を含む）での回り込み等が含まれる。
【００３２】
スイッチ部１２は、図示しない送信機からのＵＷＢパルスを受信するタイミングに合せてオンとなり、その他のタイミングではオフとなるようスイッチングされる。図示しない送信機からのＵＷＢパルスは、回り込み波と時間的に重ならないように遅延部１３で遅延される。回り込みのＵＷＢパルスが入力側（受信側）に回り込むタイミングでは、スイッチ部１２はオフ状態である。したがって、回り込みのＵＷＢパルスが増幅部１４へ供給されることはない。これにより、図示しない送信機からのＵＷＢパルスのみが遅延されて中継される。
【００３３】
受信したパルス信号を遅延させて中継する動作は、間歇的パケットにおける中継と類似の点もあるが、下記（１）〜（３）の部分が異なる。
（１）ＵＷＢのようにパルス間に隙間がある場合でないと構成できない。従来の間歇的パケット通信では、単位パケットの内部はパルスがぎっしり詰っており、パルスとパルスの間の隙間がないので、パケット長以上の大きな遅延を必要とする。
（２）ＵＷＢでは、パルスとパルスの間隔はナノ秒ほどであり、付け加える遅延はやはりナノ秒程度である。一般のパケット通信の中継遅延は少なくともミリ秒程度である。本発明によるＵＷＢ中継装置は、パルス単位で中継する方式であるので、パケット中継よりも遅延が遥かに少なく、遅延部は例えば同軸ケーブルでも実現できる。
（３）本発明では、パルスの波形によって遅延の大きさが決まり、パケットではパケットの長さによって遅延の大きさが決まる。パルス波形は途中の空間によって広がることもあり、その波形広がりを見越して遅延量を設定し、スイッチのタイミングを決めなければならない。また、希望信号のパルスとパルスの間に他の信号のパルスが入るような多元接続も考えられるので、それと出力が重ならないように遅延を調整する必要がある。パケット中継ではいずれも考慮しなくてよい。
【００３４】
ＵＷＢは数１００Ｍｂｐｓの無線伝送を簡単な無線機構成でなしうるし、周波数を有効に利用する方式である。しかし、数ＧＨｚ以上の周波数帯域を必要とするために、従来からの電波利用者との干渉が懸念される。そこで、ＵＷＢは送信電力が厳しく制限され、電波の到達範囲も限定される。こうした限定を緩和する方法に中継方式があるが、従来から知られている各種の中継方式はＵＷＢに適用が困難である。本発明では、パルス単位で遅延中継する構成としたので、次に述べるメリットを有する。
（ａ）無線ホームリンク等では、画像や音楽などのストリームデータを伝送する場合が多い。ＭＭＡＣ（モバイルマルチメディア通信協議会）では、無線ホームリンクの標準としてＷｉｒｅｌｅｓｓ１３９４標準を２００１年３月に制定し、こうした伝送に都合のよい標準を制定している。ストリームデータは当然ながら継続性があり、間歇的でないので、間歇的なパケット伝送のメリットを活かした従来のパケット中継方式は利用できないか、できたとしたも、中継による遅延は大きい。これに対して本発明は、ストリームデータの中継に好適であり、しかも遅延の量も少ない。
（ｂ）遅延の少ない中継方式に電話網中継、ＴＶの放送波中継などの周波数変換方式があるが、ただでさえ不足している周波数を多く利用する。ＵＷＢは非常に広帯域の伝送方式であり、中継による周波数変換は、例えば、マイクロ波を準ミリ波とか、ミリ波に変換することとなり、中継機の構成は複雑になり、高価になる。さらに、周波数を有効に利用できない。本発明は、ＵＷＢにおいて、あくまでも同一周波数を利用するものであり、中継機の構成も簡易になり遅延も少ない。
【００３５】
図４は、本発明の第１の実施の形態によるＵＷＢ中継装置のブロック構成図である。図４に示すＵＷＢ中継装置２は、受信用アンテナ２１と、受信部２２と、送信部２３と、送信用アンテナ２４と、中継制御部２５とからなる。中継制御部２５は、スイッチ部２６と、遅延部２７と、送受信タイミング制御部２８とを備える。
【００３６】
受信用アンテナ２１は、図示しない送信機からのＵＷＢ無線信号を受信する。受信用アンテナ２１で受信された信号は受信部２２に供給される。受信部２２は、帯域フィルタ、低雑音増幅器、相関器（整合フィルタ）、出力増幅器等を備える。受信部２２は、受信用アンテナ２１で受信した信号を復調して受信信号（パルス信号）を出力する。受信部２２から出力された受信信号（パルス信号）は、スイッチ部２６を介して遅延部２７に供給されるとともに、送受信タイミング制御部２８に供給される。
【００３７】
送受信タイミング制御部２８は、スイッチ部２６を開状態にした状態で、受信部２２の出力を監視し、図示しない送信機からのＵＷＢパルスが出力されるタイミング（受信タイミング）、すなわち、周期と位相を把握する。
【００３８】
送受信タイミング制御部２８は、受信したパルス信号を中継して送信するタイミング（送信タイミング）が受信タイミングと重ならないように遅延部２７の遅延時間を設定する。なお、受信パルスの周期が既知である場合には、遅延時間を予め設定しておくことができる。
【００３９】
送受信タイミング制御部２８は、受信タイミングが検出されると、スイッチ部２６を受信タイミング期間の間だけオン（閉）状態に制御し、他の期間はスイッチ部２６をオフ（開）状態に制御する。これにより、図示しない送信機からのＵＷＢパルスがスイッチ部２６を介して遅延部２７に供給される。遅延部２７に供給されたＵＷＢパルスは、遅延部２７で所定時間遅延されて送信部２３へ供給される。
【００４０】
送信部２３は、遅延されたＵＷＢパルスを電力増幅して送信用アンテナ２４へ供給し、送信用アンテナ２４から電波として放射する。中継送信している期間では、スイッチ部２６はオフ（開）状態であるので、送信された信号が受信部２２を介して遅延部２７に回り込むことはない。
【００４１】
なお、図４では、受信用アンテナ２１と送信用アンテナ２４をそれぞれ設ける構成を示したが、アンテナ共用部やアンテナスイッチ部を設けることで単一のアンテナで送受信を兼用する構成としてもよい。
【００４２】
図５は、本発明の第２の実施の形態によるＵＷＢ中継装置のブロック構成図である。図５に示すＵＷＢ中継装置３は、送受信兼用アンテナ３１と、アンテナ共用部３２と、受信部３３と、中継制御部３４と、送信部３５とからなる。
【００４３】
送受信兼用アンテナ３１で受信されたＵＷＢ信号は、アンテナ共用部３２を介して受信部３３に供給される。受信部３３は、帯域フィルタ、低雑音増幅器、相関器、復調器等を備える。受信部３３は、受信したＵＷＢ信号を復調して復調出力（論理１，０に対応した符号等）を発生する。
【００４４】
中継制御部３４は、マイクロコンピュータを用いて構成されている。中継制御部３４は、受信部３３の復調出力を一時記憶するとともに、復調出力が供給されるタイミングに基づいてＵＷＢパルスの受信タイミングを検出する。中継制御部３４は、図示しない送信機からのＵＷＢパルスの受信タイミングを検出すると、その受信タイミングと重ならないように送信タイミングを設定し、設定した送信タイミングで一時記憶してある復調出力を送信部３５に供給する。
【００４５】
送信部３５は、ＵＷＢパルス発生器を備える。送信部３５は、中継制御部３４から供給された復調出力に対応したＵＷＢパルスを生成する。送信部３５で生成されたＵＷＢパルスはアンテナ共用部３２を介して送受信兼用アンテナ３１に供給され、送受信兼用アンテナ３１から電波として放射される。
【００４６】
中継制御部３４は、受信タイミング期間内に受信部２２から出力された復調出力を有効なものとして扱い、受信タイミング期間以外の復調出力を無効なものとして扱う。したがって、送信部３５から送信したＵＷＢパルスが受信部３３に回り込んだとしても、回り込んだ信号が再度中継されることはない。
【００４７】
なお、図５では、送受信兼用アンテナ３１を用いて構成を示したが、受信用アンテナと送信用アンテナをそれぞれ設ける構成としたもよい。この場合には、アンテナ共用部３２は不要である。
【００４８】
図６は、本発明の第３実施の形態によるＵＷＢ通信装置のブロック構成図である。図６に示すＵＷＢ通信装置４は双方向のデータ通信を行うものである。ＵＷＢ通信装置４は、送受信兼用アンテナ４１と、アンテナ共用部４２と、受信部４３と、送信タイミング制御部４４と、送信部４５とからなる。
【００４９】
送受信兼用アンテナ４１で受信されたＵＷＢ信号は、アンテナ共用部４２を介して受信部４３に供給される。受信部４３は、帯域フィルタ、低雑音増幅器、相関器、復調器等を備える。受信部４３は、ＵＷＢのパルス信号を受信するとパルス検出信号４３ａを出力するとともに、受信したパルス信号を復調して受信データを出力する。パルス検出信号４３ａは送信タイミング制御部４４に供給される。
【００５０】
送信タイミング制御部４４は、マイクロコンピュータシステム等を用いて構成されている。送信タイミング制御部４４は、パルス検出信号４３ａに基づいてパルスの受信タイミング及び受信周期を把握し、受信パルス間に送信タイミングを設定する。送信タイミング制御部４４は、送信データを一時記憶する送信データバッファを備えており、この送信データバッファに格納された送信データを送信タイミングに同期させて送信部４５に供給する。
【００５１】
送信部４５は、ＵＷＢのパルス信号発生器を備える。送信部４５は、送信タイミング制御部４４を介して供給された送信データに対応したＵＷＢのパルス信号を生成する。送信部４５で生成されたＵＷＢのパルス信号はアンテナ共用部４２を介して送受信兼用アンテナ４１に供給され、送受信兼用アンテナ４１から電波として放射される。
【００５２】
送信タイミング制御部４４は、送信期間中であることを示す送信タイミング信号４４ａを受信部４３に供給する。受信部４３は、送信タイミング期間中に受信したＵＷＢのパルス信号を無効な信号として扱い、パルス信号の検出及び復調を行わない。
【００５３】
送信タイミング制御部４４は、受信を行っていない状態で送信を開始する際には、送信タイミングを任意に設定して送信を開始させる。
【００５４】
このように本発明に係るＵＷＢ通信装置４は、パルスの受信と送信を時分割で行うので送受信信号間の干渉を解消することができる。これにより、時分割複信方式（ＴＤＤ方式：Ｔｉｍｅ  Ｄｉｖｉｓｉｏｎ  Ｄｕｐｌｅｘ  ｓｙｓｔｅｍ）の双方向通信ができるＵＷＢ通信装置を簡易な構成で実現できる。
【００５５】
なお、本発明は上記実施の形態に限定されるものではない。
【００５６】
例えば、スイッチ部は受信のタイミングでオンにすることが望ましいが、送信のタイミングでオフにするものでも回り込みを解消するという相応の効果を奏する。要は、送信部が送信したパルスを受信部が受信してそれが循環して再度送信部が送信してしまうことがないようにパルス単位でパルス送信とパルス受信のタイミングを制御すればよい。
【００５７】
また、図１に示すスイッチ部１２、遅延部１３及び増幅部１４は、この順序で配置される必要はなく、直列に接続される限りいかなる並び方でも構わない。ただし、回り込みが大きい場合には回り込み信号によって増幅部１４が飽和するおそれがあるので、増幅部１４はスイッチ部１２より後ろに配置されることが望ましい。同様に、図４に示すスイッチ部２６及び遅延部２７は逆に配置されていても構わない。
【００５８】
【発明の効果】
以上説明したように本発明によるＵＷＢ中継装置は、送信側から受信側への回り込みをスイッチ回路等の簡易な構成で防止できる。また、中継による遅延を極めて少なくできる。よって、本発明によるＵＷＢ中継装置は、ストリームデータの中継に好適である。
【００５９】
本発明によるＵＷＢ通信装置は、送受信間の回り込みを解消することができ、このため双方向通信ができるＵＷＢ通信装置を簡易な構成で実現できる。
【図面の簡単な説明】
【図１】本発明によるＵＷＢ中継装置の基本構成（動作原理）を示す図である。
【図２】本発明によるＵＷＢ中継装置の動作を示す図である。
【図３】本発明によるＵＷＢ中継装置の送受信間の回り込みを解消する動作を示す図である。
【図４】本発明の第１の実施の形態によるＵＷＢ中継装置のブロック構成図である。
【図５】本発明の第２の実施の形態によるＵＷＢ中継装置のブロック構成図である。
【図６】本発明の第３の実施の形態によるＵＷＢ通信装置のブロック構成図である。
【図７】ＵＷＢのパルス波形の一例を示す図である。
【図８】中継の概念を示す図である。
【図９】周波数変換中継機を示す図である。
【図１０】パケット中継機を示す図である。
【図１１】ＳＦＮ中継局を示す図である。
【符号の説明】
１，２，３  ＵＷＢ中継装置
４  ＵＷＢ通信装置
１１，２１  受信用アンテナ
１２，２６  スイッチ部
１３，２７  遅延部
１４  増幅部
１５，２４  送信用アンテナ
２２，３３，４３  受信部
２３，３５，４５  送信部
２５  中継制御部
２８  送受信タイミング制御部
３１，４１  送受信兼用アンテナ
３２，４２  アンテナ共用部
３４  中継制御部
４４  送信タイミング制御部
【図１】
2004179801.tif 000003
【図２】
2004179801.tif 000004
【図３】
2004179801.tif 000005
【図４】
2004179801.tif 000006
【図５】
2004179801.tif 000007
【図６】
2004179801.tif 000008
【図７】
2004179801.tif 000009
【図８】
2004179801.tif 000010
【図９】
2004179801.tif 000011
【図１０】
2004179801.tif 000012
【図１１】
2004179801.tif 000013